(57)【要約】 【課題】  トイレットに用いられるフラッシュ・システムに、映像ソフト等を再生するマルチメディア・プレーヤを組合せたシステムを実現する。 【解決手段】  トイレット使用者の近接を検出したセンサ・ユニット１０１からの信号を受けたＣＰＵ１０３は、インターネット１０７を介して送られメモリ・ユニット１０４に格納されているデータをＣＰＵ１０３に転送させる。転送されたデータは、マルチメディア・プレーヤ・ユニット１０５に転送され、映像等として再生される。同時に、ＣＰＵ１０３は、フラッシュ装置１０６に信号を送出して小便器などに水を流させる。トイレット使用者が本システム１０より離れると、検出信号がＣＰＵ１０３に送出され、映像等の再生が停止されるとともに、小便器などに再度水が流されて洗浄される。【選択図】        図１
0003156664.tif 000002
【実用新案登録請求の範囲】
【請求項１】
マルチメディア・プレーヤを備えたフラッシュ・システム（１０）であって、 
前記マルチメディア・プレーヤを備えたフラッシュ・システム全体を制御するためのＣＰＵユニット（１０３）と、 
物体の近接離隔を検出した検出信号を前記ＣＰＵユニットに送出するためのセンサ・ユニット（１０１）と、 
マルチメディアの情報データを格納するためのメモリ・ユニット（１０４）と、 
前記ＣＰＵユニットからの制御信号を受けて前記メモリ・ユニットに格納された前記情報データを再生するためのマルチメディア・プレーヤ・ユニット（１０５）と、
前記ＣＰＵユニットからの制御信号を受けて水を流すためのフラッシュ装置（１０６）とを 
具備したマルチメディア・プレーヤ付フラッシュ・システム。 
【請求項２】
前記ＣＰＵユニットがインターネット（１０７）を介した情報データを受け取って前記メモリ・ユニットに格納することができるものである請求項１記載のマルチメディア・プレーヤ付フラッシュ・システム。
【請求項３】
前記マルチメディアの情報データが映像データおよび音声データのうちの少なくとも一方である請求項１記載のマルチメディア・プレーヤ付フラッシュ・システム。 
【請求項４】
手動可能な操作ユニット（１０２）を有し手動により前記マルチメディア・プレーヤ・ユニットおよび前記フラッシュ装置を操作することができる請求項１記載のマルチメディア・プレーヤ付フラッシュ・システム。
【請求項５】
マルチメディア・プレーヤを備えたフラッシュ・システム（２０）であって、 
前記マルチメディア・プレーヤを備えたフラッシュ・システム全体を制御するためのＣＰＵユニット（１０３）および音声データを格納するためのメモリ・ユニット（１０４）が配設されたマルチメディア・プレーヤ本体（２０１）と、
物体の近接離隔を検出した検出信号を前記ＣＰＵユニットに送出するためのセンサ（２０１１）と、 
前記ＣＰＵユニットからの制御信号を受けて前記メモリ・ユニットに格納された前記音声データを再生するためのスピーカ（２０１２）と、 
前記ＣＰＵユニットからの制御信号を受けて水を流すためのフラッシュ（２０３）とを 
具備したマルチメディア・プレーヤ付フラッシュ・システム。 
【請求項６】
前記マルチメディア・プレーヤ本体に１つ以上の操作ボタン（２０１３）が配設されたものである請求項５記載のマルチメディア・プレーヤ付フラッシュ・システム。
【請求項７】
マルチメディア・プレーヤを備えたフラッシュ・システム（３０）であって、 
前記マルチメディア・プレーヤを備えたフラッシュ・システム全体を制御するためのＣＰＵユニット（１０３）および映像データおよび音声データのうちの少なくとも一方を格納するためのメモリ・ユニット（１０４）が配設されたマルチメディア・プレーヤ（３０１）と、
物体の近接離隔を検出した検出信号を前記ＣＰＵユニットに送出するための、前記マルチメディア・プレーヤの表面部に配設されたセンサ（３０１３）と、 
前記マルチメディア・プレーヤと連結された水パイプ（３０２）と、 
前記水パイプと連結されたフラッシュ（３０３）とを 
具備したマルチメディア・プレーヤ付フラッシュ・システム。 
【請求項８】
前記マルチメディア・プレーヤが映像を表示するための表示パネル（３０１１）を備えたものである請求項７記載のマルチメディア・プレーヤ付フラッシュ・システム。
【請求項９】
前記マルチメディア・プレーヤが音声を出力するためのスピーカ（３０１２）を備えたものである請求項７記載のマルチメディア・プレーヤ付フラッシュ・システム。
【請求項１０】
前記マルチメディア・プレーヤが複数の操作ボタン（３０１４）を備えたものである請求項７記載のマルチメディア・プレーヤ付フラッシュ・システム。 
【考案の詳細な説明】
【技術分野】
【０００１】
本考案はマルチメディア・プレーヤ付フラッシュ・システムに関する。具体的には、トイレットに用いられるフラッシュ・システムに、映像ソフトや音声ソフトを再生するマルチメディア・プレーヤを組み合わせたシステムを提供せんとするものである。
【背景技術】
【０００２】
現代の社会活動は、企業で働く者等にとっては、時間のほとんどを仕事に費やすことを余儀なくしている。しかし、仕事の時間が長くなると、日常の情報、例えば新聞・雑誌・テレビなどからのニュースや広告インフォメーションの入手が困難となってしまう。すなわち、次第に社会の現実から離れていってしまう。
【０００３】
このような状況は、社会の高齢化と急速な進歩とともに、ますます進行する。その結果、高齢者の人々あるいは家族間において、その思いや考えを相互に伝達するのが容易でなくなる。
【先行技術文献】
【特許文献】
【０００４】
【特許文献１】特表２００３−５０８６５７号公報
【考案の概要】
【考案が解決しようとする課題】
【０００５】
上述したように、企業で働く者等の現代人は、多忙な仕事に従事しており、休憩のための時間は僅かしか与えられていないが、その僅かな時間を利用して新聞を読むことやテレビを見ることを欲するものである。しかし、休憩ではない仕事以外の時間、例えばトイレットを使用するときに、その時間を利用して様々な情報や知識をたやすく入手することができるならば、多忙な人々にとっては極めて便利であるといえる。
【課題を解決するための手段】
【０００６】
そこで、上記課題を解決するために、本考案は、本願考案者の考究と技術経験からなされたものであり、本考案の目的は、トイレットに用いられる水流システムにマルチメディア機能を具備させようとするものである。そのために、本考案では、センサ・ユニットと、ＣＰＵ（中央処理装置）ユニットと、メモリ・ユニットと、マルチメディア・プレーヤ・ユニットとを、フラッシュ・システムに組み合わせるようにした。
【０００７】
すなわち、センサ・ユニットは、トイレットの小便器などに近接してきた人間を感知してこれを検出し、検出信号はＣＰＵユニットに送出される。検出信号を受けたＣＰＵユニットは、メモリ・ユニットを起動してメモリに格納されている情報データをＣＰＵユニットに転送する。ＣＰＵユニットに転送された情報データは、マルチメディア・プレーヤ・ユニットに転送されて映像や音声として再生される。同時に、ＣＰＵユニットは、フラッシュ・ユニットに制御信号を送出して小便器などに水を流して洗浄する。
【０００８】
他方、トイレットの小便器などから人間が離れると、これをセンサ・ユニットは感知して、人間不存在を検出し、検出信号はＣＰＵユニットに送出される。そこで、ＣＰＵユニットは、マルチメディア・プレーヤ・ユニットおよびフラッシュ・ユニットに対して、それらの動作をそれぞれ停止させる信号を送出する。
【考案の効果】
【０００９】
本考案によるならば、一般に使用されているフラッシュ・システムにマルチメディア・プレーヤ・システムを組み合わせることにより、トイレットの設備環境を良好なものとすることができる。しかも、様々な情報と広告インフォメーションをトイレットの使用者に伝達することにより、多忙な現代人とりわけ企業で働く者に新しい情報と知識を提供することが可能となる。したがって、本考案によりもたらされる効果は、極めて大きい。
【図面の簡単な説明】
【００１０】
【図１】本考案の一実施例の構成を示すブロック図である。
【図２】図１に示したマルチメディア・プレーヤ付フラッシュ・システムの構成例を示す斜視図である。
【図３】図１に示したマルチメディア・プレーヤ付フラッシュ・システムの他の構成例を示す斜視図である。
【考案を実施するための形態】
【００１１】
本考案によるマルチメディア・プレーヤ付フラッシュ・システムは、本考案では、センサ・ユニットと、ＣＰＵユニットと、メモリ・ユニットと、マルチメディア・プレーヤ・ユニットとを、フラッシュ・システムに組み合わせる。以下、実施例により詳しく説明する。
【実施例１】
【００１２】
本考案の一実施例の構成を、図１に示し説明する。ここで、図１は、本実施例におけるマルチメディア・プレーヤ付フラッシュ・システムの構成を示すブロック視図である。
【００１３】
図１において、本考案によるマルチメディア・プレーヤ付フラッシュ・システム（以下、「本システム」という。）１０は、センサ・ユニット１０１、起動ユニット１０２、ＣＰＵ１０３、メモリ・ユニット１０４、マルチメディア・プレーヤ・ユニット１０５およびフラッシュ装置１０６とにより構成される。
【００１４】
そこで、物体であるトイレットの使用者が本システム１０に近接すると、センサ・ユニット１０１は、前方環境の変化を検出し、検出信号がＣＰＵ１０３に送出される。検出信号を受けたＣＰＵ１０３は、メモリ・ユニット１０４に起動信号を送出する。ＣＰＵ１０３からのメモリ・ユニット１０４への起動信号の送出は、センサ・ユニット１０１によらずに、トイレットの使用者が手動により起動ユニット１０２を作動させることにより行うようにしてもよい。
【００１５】
ＣＰＵ１０３よりメモリ・ユニット１０４に起動信号が送出されると、メモリ・ユニット１０４に格納されている情報データがＣＰＵ１０３に転送される。情報データがＣＰＵ１０３に転送されると、転送された情報データはマルチメディア・プレーヤ・ユニット１０５に転送され、マルチメディア・プレーヤ・ユニット１０５は、情報データを映像や音声として再生する。
【００１６】
また、マルチメディア・プレーヤ・ユニット１０５による情報データの再生と同時に、ＣＰＵ１０３は、フラッシュ装置１０６に制御信号を送出する。この制御信号を受けたフラッシュ装置１０６は、トイレットの小便器などに水を流す。
【００１７】
これに対して、トイレットの使用者が本システム１０より離れると、本システム１０は、前方環境が常態に戻ったことを検出し、検出信号がＣＰＵ１０３に送出される。ＣＰＵ１０３が検出信号を受けると、ＣＰＵ１０３は、マルチメディア・プレーヤ・ユニット１０５およびフラッシュ装置１０６に信号を送出し、これを受けたマルチメディア・プレーヤ・ユニット１０５は映像や音声の再生を停止し、フラッシュ装置１０６は、トイレットの小便器などにもう一度水を流して洗浄する。
【００１８】
なお、トイレットの使用者が小便器などから離れるときに、起動ユニット１０２を手動により作動させてＣＰＵ１０３に信号を送出し、これに基づいてマルチメディア・プレーヤ・ユニット１０５の動作を停止させるとともに、フラッシュ装置１０６にはトイレットの小便器などにもう一度水を流して洗浄させるようにすることもできる。
【００１９】
なお、本システム１０のＣＰＵ１０３は、インターネット１０７を介した情報データや信号などを受け取り、これをメモリ・ユニット１０４に格納することができる。すなわち、インターネットを介して直接的にメモリ・ユニット１０４中のデータや情報などを更新することができ、定期的にマルチメディア・プレーヤ・ユニット１０５の再生内容を変更することができる。
【００２０】
図２は、マルチメディア・プレーヤ・ユニット１０５を組み込んだフラッシュの構成例を示す斜視図である。図示するように、本システム１０（図１）は、モジュール化すれば、マルチメディア・プレーヤ付フラッシュ・システム２０を形成することになる。
【００２１】
図２において、２０１は、マルチメディア・プレーヤ・ユニットの本体、２０２は水パイプ、２０３はフラッシュであり、水パイプ２０２とフラッシュ２０３とでフラッシュ装置１０６（図１）を構成する。水パイプ２０２は、本体２０１を通してフラッシュ２０３と連結している。
【００２２】
本体２０１の中には、１つのＣＰＵ１０３（図１）とメモリ・ユニット１０４が配設されている。また、本体２０１の表面部には、センサ２０１１（図１のセンサ・ユニット１０１の構成要素）、１対のスピーカ２０１２（図１のマルチメディア・プレーヤ・ユニット１０５の構成要素）、および１つ以上の操作ボタン２０１３（図１の起動ユニット１０２の構成要素）が配設されている。
【００２３】
そこで、トイレットの使用者が、センサ２０１１に近接して前方環境が変化すると、これをセンサ２０１１が検出し、検出信号が本体２０１内のＣＰＵ１０３に送出される。検出信号を受けたＣＰＵ１０３は、本体２０１内のメモリ・ユニット１０４に信号を送出し、これを受けたメモリ・ユニット１０４は、格納されている情報データをＣＰＵ１０３に転送する。
【００２４】
ＣＰＵ１０３が、メモリ・ユニット１０４からの情報データを受け取ると、これをＣＰＵ１０３はスピーカ２０１２に転送され、音声として再生されることになる。 
【００２５】
これと同時に、ＣＰＵ１０３から送出される制御信号により水パイプ２０２が駆動されて、水がフラッシュ２０３に流れて便器が洗浄される。なお、トイレットの使用者が、直接的に操作ボタン２０１３を操作して水を流すことも、スピーカ２０１２をオンにすることもできる。
【００２６】
図３は、マルチメディア・プレーヤ・ユニット１０５を組み込んだフラッシュの他の構成例を示す斜視図であり、図示するように、本システム１０（図１）は、モジュール化すれば、マルチメディア・プレーヤ付フラッシュ・システム３０を形成することになる。
【００２７】
図３において、３０１は、マルチメディア・プレーヤ、３０２は水パイプ、３０３はフラッシュであり、水パイプ３０２とフラッシュ３０３とでフラッシュ装置１０６（図１）を構成する。水パイプ３０２は、マルチメディア・プレーヤ３０１とフラッシュ２０３とを連結している。
【００２８】
マルチメディア・プレーヤ３０１の中には、ＣＰＵ１０３（図１）とメモリ・ユニット１０４が配設されている。また、マルチメディア・プレーヤ３０１の表面部には、表示パネル３０１１、スピーカ３０１２、センサ３０１３および操作ボタン３０１４が配設されている。表示パネル３０１１とスピーカ３０１２は、図１のマルチメディア・プレーヤ・ユニット１０５の構成要素であり、操作ボタン３０１４は、図１の起動ユニット１０２の構成要素である。
【００２９】
以上のような構成のフラッシュ３０の動作は、図２に示したフラッシュ２０の動作と同様であるが、異なるところは、起動時におけるＣＰＵ１０３からの信号は、表示パネル３０１１にも送出されること、水パイプ３０２への水の供給は外部から行われること（流水量は、バルブでコントロールされる。）、および操作ボタン３０１４は、表示パネル３０１１のみをオフにし、スピーカ３０１２のみをオフにし、水のみを流し、あるいは、表示パネル３０１１とスピーカ３０１２の双方をオフにし、さらには、表示パネル３０１１とスピーカ３０１２の双方をオフにするとともに水を流すことである。
【００３０】
以上のマルチメディア・プレーヤ付フラッシュ・システムの各構成例は、本考案の適用範囲のすべてを示すものではない。すなわち、本考案は、図２および図３に示した各構成例に限定されるものではない。
【符号の説明】
【００３１】
１０，２０，３０  マルチメディア・プレーヤ付フラッシュ・システム 
１０１  センサ・ユニット 
１０２  起動ユニット 
１０３  ＣＰＵ 
１０４  メモリ・ユニット 
１０５  マルチメディア・プレーヤ・ユニット 
１０６  フラッシュ装置 
１０７  インターネット 
２０１  本体 
２０１１  センサ 
２０１２  スピーカ 
２０１３  操作ボタン 
２０２  水パイプ 
２０３  フラッシュ 
３０１  マルチメディア・プレーヤ 
３０１１  表示パネル 
３０１２  スピーカ 
３０１３  センサ 
３０１４  操作ボタン 
３０２  水パイプ 
３０３  フラッシュ 
【図１】
0003156664.tif 000003
【図２】
0003156664.tif 000004
【図３】
0003156664.tif 000005